【事件の表示】
　特願２０１３−　２２５６４号「医療処置のための磁気コア」拒絶査定不服審判事件〔平成２５年　５月　２日出願公開、特開２０１３−　７８７００号〕について、次のとおり審決する。
【結　論】
　本件審判の請求は、成り立たない。
【理　由】
Ｉ．手続の経緯 
　本願は、平成１８年７月２６日（パリ条約による優先権主張　２００５年７月２７日　アメリカ合衆国）を国際出願日とする特願２００８−５２４１５９号の一部を平成２５年２月７日に新たな特許出願としたものであって、平成２６年１月２８日付けの拒絶査定に対し、同年６月４日付けで拒絶査定不服審判が請求されると同時に特許請求の範囲についての手続補正がされ、その後、当審において、平成２７年７月３０日付けで拒絶理由が通知され、同年１１月４日付けで意見書及び手続補正書が提出されたものである。
II．本願発明 
　本願の請求項１ないし３４に係る発明は、平成２７年１１月４日付け手続補正書により補正された特許請求の範囲の請求項１ないし３４に記載された事項により特定されるとおりのものであるところ、その請求項１に係る発明（以下「本願発明」という。）は次のとおりである。
「【請求項１】
　患者を治療するための装置であって、
　高い飽和性の磁性材料を含む磁気コアであって、該磁気コアは分散された間隙を有するコア構造を備え、前記分散された間隙を有するコア構造は、非導電性の空隙により互いに実質電気的に絶縁された強磁性粒子を含み、かつ精神病の治療のための経頭蓋磁気刺激（ＴＭＳ: Transcranial Magnetic Stimulation）に関連する使用に適合しており、前記磁気コアは、非導電性の前記間隙により前記強磁性粒子間に電流が流れるのを阻止して当該磁気コアに流れる電流による渦電流が抑制されるように構成されるとともに、
　第１の端部及び第２の端部を有する第１の磁気コアセクションと、
　第１の端部及び第２の端部を有する第２の磁気コアセクションであって、前記第２の磁気コアセクションの該第１の端部が第１の角度で前記第１の磁気コアセクションの前記第１の端部に結合されている、第２の磁気コアセクションと、
　第１の端部及び第２の端部を有する第３の磁気コアセクションであって、前記第３の磁気コアセクションの該第１の端部が第２の角度で前記第２の磁気コアセクションの前記第２の端部に結合されている、第３の磁気コアセクションと、
　を含む、磁気コアと、
　前記磁気コアの少なくとも或る部分に巻回されたＴＭＳ用導電体とを備え、前記ＴＭＳ用導電体が前記患者のＴＭＳの治療中にパルスが印加された場合、前記磁気コアはＴＭＳ治療のために磁場を生成し、前記装置は、前記磁気コアに渦電流による加熱が実質的に抑制されるよう、間欠的サイクルで前記磁場を前記患者の脳に印加するようになされており、前記磁場が間欠的サイクルで印加された場合、前記ＴＭＳ用導電体と、前記第１、前記第２および前記第３の磁気コアセクションとは、刺激を与える前記患者の脳部分に前記磁場を集束するように構成されていることを特徴とする装置。」
III．刊行物の記載事項
（１）刊行物１
　当審における拒絶の理由に引用され、本件優先権主張日前に頒布された刊行物である米国特許出願公開第２００４／００７７９２３号明細書（以下「刊行物１」という。）には、次の事項が図面とともに記載されている（括弧内に付記した邦訳は、当審による。）。
１ａ：「FIELD OF THE INVENTION
[0002]　The present invention relates generally to devices and methods for generating magnetic fields in living body tissues, and specifically to devices and methods for inducing electrical pulses in body tissues by targeted electromagnetic radiation. 」
（発明の分野
　本発明は、生体組織内に磁場を生成する装置及び方法、特に、標的に向けて照射された電磁放射線を用いて電気パルスを体組織内に誘起するための装置及び方法に関する。）
１ｂ：「SUMMARY OF THE INVENTION
　・・・
[0010]　In preferred embodiments of the present invention, at least one electromagnet with a shapeable core is used to apply a magnetic field to target in the body, typically in an organ such as the heart. The core, preferably comprising a ferromagnetic material, may include one or more flexible joints, or it may alternatively be made of a flexible material, such as a deformable plastic with ferromagnetic properties. Typically, a pair of electromagnets are applied to opposing sides of the body, wherein one or both of the electromagnets have such flexible cores. An operator adjusts the positions and shapes of the cores so as to generate a focused magnetic field at the target. The windings of the electromagnets are preferably driven with alternating currents, most preferably pulsed currents, so that the magnetic field at the target is pulsed, as well. The pulsed magnetic field causes electrical current pulses to be generated in the tissue, for use in pacing or defibrillating the heart, for example, or for treatment or diagnosis of other body organs, such as the brain, nervous system or muscles.」
（発明の概要
　・・・
　本発明の好ましい実施形態では、変形可能なコアを有する少なくとも一つの電磁石を用いて、体内の目標箇所、典型的には、心臓のような器官内に磁場を印加する。コアは、好ましくは強磁性材料で構成され、一又は複数の柔軟なジョイントを有するか、あるいは、強磁性特性を有する変形可能なプラスチックのような柔軟材料から成形され得る。典型的には、一対の電磁石が体の両側面に適用され、各電磁石の内の一つ又は両方がこのような柔軟コアを有する。操作者は、コアの位置や形状を調整して、目標箇所に集束磁場を生成する。電磁石の巻線は、交流電流により、最も好ましくは、パルス電流により駆動され、目標箇所での磁場もパルス化される。このパルス磁場によって組織内にパルス電流が生じ、例えば、心臓のペーシング又は除細動に利用され、あるいは、脳、神経系、筋肉のような他の体組織の治療や診断に利用される。）
１ｃ：「[0043]　Although only two electromagnets  46  and  48  are shown in  FIGS. 2A and 2B , three or more electromagnets with flexible cores may be disposed around the body of subject  44 , and may be shaped and aligned together to give a stronger, focused magnetic field in heart  42  or in another target location. A larger number of coils allows better stabilization, directing and focusing of the magnetic field but is harder to align and manipulate in practice. Alternatively, a single electromagnet with a flexible core may be used in some applications. 
[0044]　FIGS. 3A and 3B  show an electromagnet  60  with cylindrical inductive coil  52  wound on a laminated core  62 , in accordance with a preferred embodiment of the present invention.  FIG. 3A  is a top view (as seen in the perspective of  FIG. 2A ), while  FIG. 3B  is a side view. Core  62  is formed from parallel sheets of a suitable ferromagnetic material, as is known in the art. The core comprises a central part that is largely contained within coil  52 , connected to two articulating extremities  64  by joints  66 . The operative configuration of electromagnet  60  is characterized by two bending angles α１ and α２  formed between the axis of the central part and the axes of extremities  64 . The two angles are independently adjustable by the operator, who then fixes the angles in place when the magnetic field is focused in the desired location. 」
（図２Ａ及び２Ｂには、わずか２つの電磁石４６と４８が示されているが、柔軟コアを有する３つ以上の電磁石を患者４４の体の周りに配置することができ、また、心臓４２や他の標的位置に、より強力で集束した磁場が印加されるように、各電磁石を成形し位置決めすることができる。多数のコイルを使えば、それだけ磁場の安定性、指向性、集束性が増すが、実際には、各コイルの位置決めや操作が難しくなる。いくつかの用途では、代替的に、柔軟コアを有する単一の電磁石が使用できる。
　図３Ａ及び３Ｂには、本発明の好ましい実施形態として、積層コア６２上に巻回された円筒状誘導コイル５２を有する電磁石６０が示されている。図３Ａは上面図（図２Ａの斜視図と同様）であり、また、図３Ｂは側面図である。コア６２は、本技術分野で知られるように、適当な強磁性材料から成る平行な板材により形成されている。コアは、大部分がコイル５２に包まれる中央部と、ジョイント６６で接続される２つの関節端部６４とから構成される。電磁石６０の作動形態は、中央部の中心軸と関節端部の中心軸とが成す２つの曲げ角度α１、α２により特徴付けられる。この２つの角度は、操作者により独立して調整され、目標箇所に磁場が集束する角度で固定される。）
１ｄ：「[0051]　FIG. 9  is a schematic, pictorial view of a computerized system  120  for generating a controlled magnetic field in heart  44 ,・・・
[0063]　In addition, system  120  may be configured to administer other types of treatment, to other areas of the body, including: 
[0064]　Magnetic stimulation of the brain, for indications including depression, as well as other neurological and psychiatric disorders.」
（図９は、心臓４４に制御磁場を生成するコンピュータシステム１２０を示す概略絵図であり、・・・
　さらに、システム１２０は、他の種類の治療や体の他の部位への治療を施すように構成することができる。例えば、
　うつ病や他の神経・精神障害のような適応症のための脳磁気刺激。）
１ｅ：「12. Apparatus for generating a localized magnetic field inside a body of a living subject, the apparatus comprising: 
 an electrical winding, which is adapted to be driven by an electrical current so as to generate a magnetic field in the body; and 
 a core, upon which the winding is wound, the core comprising at least first and second ferromagnetic sections and a joint that connects the sections one to another, such that the joint is adjustable under control of an operator of the apparatus so as to direct lines of flux of the magnetic field within the body.」
（請求項１２
　患者の生体内に局所的に磁場を生成するための装置であって、該装置は、
　電流により駆動され、体内に磁場を生成するよう適合された電気巻線と、
　前記巻線が巻回されたコアであって、少なくとも第１及び第２の強磁性セクションと、各セクションを連結するジョイントとを含むコアと、
を備え、
　前記ジョイントは装置の操作者により調整されて磁束線が体内に指向される、装置。）
　続いて上記の各記載について検討する。
Ａ）摘記事項１ｂの「本発明の好ましい実施形態では、・・・例えば、心臓のペーシング又は除細動に利用され、あるいは、脳、神経系、筋肉のような他の体組織の治療や診断に利用される。」の記載からみて、摘記事項１ｅの「患者の生体内に局所的に磁場を生成するための装置」は、患者の治療に利用される装置でもあることが分かる。
Ｂ）加えて、摘記事項１ｄの「うつ病や他の神経・精神障害のような適応症のための脳磁気刺激」の記載も併せみれば、上記Ａ）の「患者の治療に利用される装置」の「治療」は、うつ病のための脳磁気刺激治療を含むものといえる。
　また、摘記事項１ｃの「電磁石を患者４４の体の周りに配置する」の記載によれば、上記Ａ）の「患者の治療に利用される装置」の「治療」は、摘記事項１ｅの「コア」及び「電気巻線」を患者の周囲に配置して行う「治療」といえる。
Ｃ）摘記事項１ｃの「コア６２は、本技術分野で知られるように、適当な強磁性材料から成る平行な板材により形成されている。コアは、大部分がコイル５２に包まれる中央部と、ジョイント６６で接続される２つの関節端部６４とから構成される。電磁石６０の作動形態は、中央部の中心軸と関節端部の中心軸とが成す２つの曲げ角度α１、α２により特徴付けられる。」の記載によれば、摘記事項１ｅの「少なくとも第１及び第２の強磁性セクションと、各セクションを連結するジョイントとを含むコア」は、「中央部」と２つの「関節端部６４」に対応する３つの強磁性セクションを含むコアであって、各強磁性セクションが２つの曲げ角度α１、α２で接続されたコアをも包含するものといえ、また、該「コア」が強磁性材料から成るコアであることも分かる。
Ｄ）摘記事項１ｂの「電磁石の巻線は、交流電流により、最も好ましくは、パルス電流により駆動され、目標箇所での磁場もパルス化される。このパルス磁場によって組織内にパルス電流が生じ、例えば、心臓のペーシング又は除細動に利用され、あるいは、脳、神経系、筋肉のような他の体組織の治療や診断に利用される。」の記載によれば、摘記事項１ｅの「電流により駆動され、体内に磁場を生成するよう適合された電気巻線」における「電流」には、パルス電流も含まれるものといえる。
Ｅ）摘記事項１ｃの「この２つの角度は、操作者により独立して調整され、目標箇所に磁場が集束する角度で固定される。」の記載からみて、摘記事項１ｅの「装置」においても、「ジョイントは装置の操作者により調整され」た結果、目標箇所に磁場が集束することは明らかである。
　よって、以上の記載事項及び図面の図示内容を総合すると、刊行物１には、次の発明（以下「引用発明」という。）が記載されている。
「患者の生体内に局所的に磁場を生成し、患者の治療に利用される装置であって、該装置は、
　パルス電流により駆動され、体内に磁場を生成するよう適合された電気巻線と、
　前記巻線が巻回され、強磁性材料から成り、３つの強磁性セクションと、各セクションを連結するジョイントとを含むコアであって、各強磁性セクションが２つの曲げ角度α１、α２で接続されたコアと、
を備え、
　上記治療は、コア及び電気巻線を患者の周囲に配置して行う、うつ病のための脳磁気刺激治療であり、
　前記ジョイントは装置の操作者により調整されて磁束線が体内に指向され、目標箇所に磁場が集束する、装置。」
（２）刊行物２
　当審における拒絶の理由に引用され、本件優先権主張日前に頒布された刊行物である特開昭６２−４３１１３号公報（以下「刊行物２」という。）には、次の事項が図面とともに記載されている。
２ａ：「３．発明の詳細な説明
〔発明の技術分野〕
　本発明は焼結磁心に関する。
〔発明の技術的背景とその問題点〕
　交流電気製品の磁心に用いる磁心材料としては、透磁率、飽和磁束密度が大きいことに加えて、鉄損が小さいこと、すなわちヒステリシス損と渦電流損が小さいことが要求される。
　現在このような要求に応える磁心材料として、けい素を含有する鉄系合金が広く用いられている。この鉄系合金では、けい素量の増加とともに磁性が改善されるだけでなく、ヒステリシス損が小さくなり、また電気抵抗が上昇するので渦電流損が低下する。他方、けい素量が多くなると材料がもろくなる。このため、良好な磁気特性と機械的特性を併せもつためにはけい素の含有量が制限され、一般には重量比でけい素３〜５％を含有する鉄系合金が用いられている。
　一方、交流電気製品の磁心は、一般にロストワックス鋳造法やその他の鋳造法によって得られた鋳造品、あるいは圧延加工品々どの溶製材により製造されている。この溶製材からなる磁心は密度が小さいのでヒステリシス損が小さいという利点がある。
　しかして、最近では磁心として、高い周波数の励磁電流で磁心を励磁する用途に使用するものが増加しており、鉄−けい素系合金の溶製材からなる磁心も高い使用周波数領域での用途に用いられつつある。
　しかしながら、鉄−けい素系合金の溶製材からなる磁心は、励磁電流の周波数が１kHzを越えると、うず電流損が増大して鉄損が大きくなるという現象がある。すなわち、使用周波数が高くなるとうず電流損が大きな影響を受けて増大し、その結果鉄損が大きくなる。このため、従来は鉄−けい素系合金の溶製材からなる磁心は高い使用周波数領域での用途には適さないという問題があった。」（第１頁右下欄第１行〜第２頁左上欄第１８行）
（３）刊行物３
　当審における拒絶の理由に引用され、本件優先権主張日前に頒布された刊行物である特開平１０−４１１１９号公報（以下「刊行物３」という。）には、次の事項が図面とともに記載されている。
３ａ：「【発明の詳細な説明】
【０００１】
【発明の属する技術分野】本発明は鉄を主成分とするボンド磁性体に関し、特に、軟磁性体を成形して得られる、スイッチングレギュレータ、種々のトランスなどへ応用することが可能なボンド磁性体に関する。
【０００２】
【従来の技術】軟磁性体は、一般に周波数変換用として各種のトランスに応用されており、従来からケイ素鋼やある種のアモルファス磁性体などが用いられている。一般に、周波数変換に伴って生じるエネルギー損Ｗは、
Ｗ＝（ヒステリシス損）＋（渦電流損）＋（残留損）
のように表すことができる。ヒステリシス損は磁性体の保磁力が小さく、その結果としての透磁率が大きいほど小さくすることが可能である。軟磁性体を使用する理由は保磁力が小さいために、このヒステリシス損が小さいという利点を利用したものである。透磁率は周波数依存性を持っているために、ヒステリシス損は一般に周波数に比例して増大する。一方、渦電流損は磁界が加えられた場合、磁性体を流れる渦電流に伴う発熱によるエネルギー損である。磁性体の電気抵抗が高いほど渦電流の発生を抑えることができるので、渦電流損を小さくできる。また、これは周波数の２乗で大きくなるので、高周波数ほど損失が大きくなる。ケイ素鋼やアモルファス鋼は金属であるために、比抵抗が１０−５Ω・ｃｍ程度と小さく、渦電流損が最もおおきなエネルギー損の原因となっている。この渦電流損の影響を低減する手段としては、薄板状で使用する方法が採用されている。アモルファス磁性体は高透磁率でかつ製法上、薄板にし易いという利点を有するために、ケイ素鋼板に変わり得る材料として注目されている。しかし、このようなアモルファスでも、薄板にするには限界がある上に、バルクでの使用が不可能であるという問題は残る。これに対して、軟磁性の粉体をエポキシ樹脂等で被覆し、成形して得られるボンド磁性体は、エポキシ樹脂等で被覆されることによって、磁性粒子を孤立させ、その結果電気抵抗を下げ、渦電流損を低く抑えることができるという利点がある。」
（４）刊行物４
　当審における拒絶の理由に引用され、本件優先権主張日前に頒布された刊行物である特開平１１−３５４３５９号公報（以下「刊行物４」という。）には、次の事項が図面とともに記載されている。
４ａ：「【発明の詳細な説明】
【０００１】
【発明の属する技術分野】本発明は圧粉磁心の製造方法及び製造装置に関するものである。
【０００２】
【従来の技術】一般に、高周波用変圧器、リアクトル、サイリスタバルブ、ノイズフィルタ、チョークコイル等の高周波コイルとして圧粉磁心が用いられている。このような圧粉磁心は、低鉄損でかつ高磁束密度であることは勿論のこと、それらの磁気特性が高周波領域においても低下しないことが求められている。
【０００３】鉄損には磁心の固有抵抗値と関係が深い渦電流損と、磁性粉（鉄粉）の製造過程及びその後のプロセス履歴から生じるヒステリシス損とがある。このうち渦電流損は周波数の二乗に比例して大きくなるので、高周波での特性を向上させるためには、渦電流損を下げることが重要となる。渦電流損を下げるには渦電流を小さな領域に閉じ込めればよいので、一般的には、個々の粒子が絶縁された磁性粉から圧粉磁心が製造されている。
【０００４】従来の製造方法としては、磁性粉を絶縁処理して、磁性粉の表面に電気絶縁層を形成し、その電気絶縁層が形成された磁性粉に接着剤として樹脂を混合するとともに圧縮により成形を行って、圧粉磁心を製造する圧粉磁心の製造方法が知られている。」
（５）刊行物５
　当審における拒絶の理由に引用され、本件優先権主張日前に頒布された刊行物である特開２００２−１５９１２号公報（以下「刊行物５」という。）には、次の事項が図面とともに記載されている。
５ａ：「【発明の詳細な説明】
【０００１】
【発明の属する技術分野】本発明は、トランス又はインダクタンス等の磁芯、モータ用磁芯、その他の電子部品に用いる圧粉磁芯用粉末及び圧粉磁芯に関するものである。
【０００２】
【従来の技術】近年、電気、電子機器の小型化が進んでおり、それにつれて小型で高効率の圧粉磁芯が要求されている。圧粉磁芯用粉末の磁性材料としては、フェライト粉末や強磁性金属粉末が用いられている。強磁性金属粉末は、フェライト粉末に比較して飽和磁束密度が大きいために磁芯を小型化できる利点があるが、電気抵抗が小さいために渦電流損失が大きくなる欠点がある。この渦電流損失をできるだけ小さくするために、強磁性金属粉末粒子表面に、絶縁膜を形成させることが行われている。このほかに、磁芯の小型化のために、飽和磁束密度が大きいだけではなく、特に、直流を重畳した高磁界での透磁率特性に優れていることが必要で、直流重畳高磁界特性が優れていると磁芯の小型化が可能になる。これは、動作磁界は、電流を磁路長で割ったものなので、磁芯が小さくなって磁路長が短くなると、高磁界側に移る。高磁界側に移っても、直流を重畳した高磁界での透磁率特性が優れていて透磁率が高いと、高インダクタンスが得られ、小型化が可能になる。また、その他に、大電流に対応したインダクタが要求されている。この場合も、直流を重畳した高磁界での透磁率特性が優れている磁芯であれば、電流が大きくなって動作磁界が高磁界側に移っても対応が可能となる。さらに、直流を重畳した高磁界での透磁率特性が良好で、高磁界で急激に透磁率が小さくならなければ、インダクタ等の巻き線数を増やすことができ、インダクタのインダクタンスは巻き線数の２乗に比例することから、さらなる小型化が可能となる。しかしながら、磁芯の小型化が可能な圧粉磁芯が得られても、磁芯の寸法精度が重要な因子となる。この場合、具体的には成形後、脱型した場合の寸法変化（以下、「スプリングバック」と記す。）が小さいことが必要となる。特に、複雑な形状の磁芯では、各部分の成形圧が異なるためにスプリングバック量が異なり、磁芯の寸法を精度高く成形することが困難である。」
（６）刊行物６
　当審において新たに引用され、本件優先権主張日前に頒布された刊行物である特表２００４−５１１３１４号公報（以下「刊行物６」という。）には、次の事項が図面とともに記載されている。
６ａ：「【要約】
経頭蓋磁気刺激（ＴＭＳ）装置として用いてもよい磁気刺激装置（１１）およびその使用方法を開示する。刺激装置は、フレーム、部分的に環状または卵形の基部（１２）を有する電導性のコイル、および外側に突出する拡張部（１４）を含む。フレームは、柔軟なまたは展性の材料であってもよく、非電導性であってもよい。電導性コイルは、フレームにカップリングした電導性材料（針金のような）の一つまたはそれ以上の巻線を含んでもよい。コイルは、電源に電気的に接続されている。装置（１１）は、被験者の頭部（１００）上のような被験者の身体に隣接または接触して配置してもよい。装置は、心血管もしくは神経生理学的病態のような特定の生理的病態を治療するために、または身体の生理学を調べるためにヒトについて用いてもよい。この装置は、薬物耽溺およびうつ病のような脳の深部領域に関連した神経生理学的病態を研究または治療するために有用である。」
６ｂ：「【００８４】
いくつかの態様において、電磁パルスの列を被験者に投与する。持続が約５０〜２０００マイクロ秒である個々のパルスがコイルによって産生され、パルス長は、刺激される組織、特定のコイルの構築もしくは形状、または被験者の生理的病態（しかしこれらに限定されない）を含む様々な要因に従って変更してもよい。約１０００マイクロ秒という持続は神経組織を刺激することができる。
【００８５】
パルスの列は、一定期間にわたって与えられる適当数の個々のパルスを含んでもよい。いくつかの態様において、約１〜約１００パルスの列を与える。特定の態様は、１００個未満、７５個未満、２５個未満、または２５〜５０、１０〜７５、５〜１００、５〜２５、２５〜７５、または７５〜１００個のような特定の範囲内の多数のパルスを用いる。もう一つの態様では、７５、６０、５０、４０、２５、１０、５、１、または１〜１００個の如何なる特定数のパルスが用いられる。
【００８６】
パルスは数と共に周波数が変化してもよい。特定の態様は、約１〜約１００ Ｈｚの範囲の周波数を用いるが、他の態様は、約５〜約６０ Ｈｚ、またはより詳しくは約２０〜約３０ Ｈｚのパルスを用いる。さらに、パルスの列内のパルスを異なる周波数で与えてもよい。
【００８７】
いくつかの態様において、より間隔の狭いパルスを作製することができる２つまたはそれ以上の刺激チャンネルをコイルに接続してもよい。そのような態様において、パルス間の間隔は、持続が１ミリ秒またはそれ以上であってもよい。多数の刺激チャンネルを用いると、脳の異なる領域を刺激するために異なる強度または周波数を用いることによって脳の示差刺激を行うことができると思われる。
【００８８】
パルスの列は、約１〜約１２０秒のような特定の期間与えてもよい。特定の態様は、約２〜約６０秒間の期間、より詳しくは約２０〜約３０秒の期間、電磁パルスの列を与えることを含む。パルス間の遅延は変化してもよいが、特定の態様には期間が類似した遅延を用いる。
【００８９】
被験者の特定の病態を治療または研究するこの方法の態様はまた、セッションのあいだに電磁パルスの列（または複数の列）を与えることを含んでもよい。完全な治療もしくは試験療法は無期限に行ってもよく、または１〜８週間、２〜７週間、３〜６週間、４〜５週間、１週間未満、もしくは８週間以上のような一定期間にわたって約１〜約３０セッションのような特定の回数のセッションを含んでもよい。もう一つの態様では、１回のセッションを用いる。
【００９０】
複数の列は列内間隔を有してもよい。特定の態様は、約５〜約２４０秒、約２０〜約１８０秒、または約６０〜約１２０秒を測定する列内間隔を有する。ちょうど一つの非制限的な例として、複数の電磁パルス列を以下のように与えてもよい：５０パルスの列を６０秒間；列のあいだの間隔は４０秒間；２０パルスの列を１２０秒間；列のあいだの間隔は３０秒間；３０パルスの列を６０秒間；列のあいだの間隔は１０秒間；３０パルスの列を９０秒間。」
（７）刊行物７
　当審において新たに引用され、本件優先権主張日前に頒布された刊行物である特表２００５−９５５９１号公報（以下「刊行物７」という。）には、次の事項が図面とともに記載されている。)
７ａ：「【要約】　　（修正有）
【課題】発話停止の部位及び特性の特定を行い、高周波経頭蓋骨磁気刺激を用いて鬱病を治療する装置を提供する。
【解決手段】本装置は、関心と重要性の有る脳の所定サイトに導かれる集束された磁界を発生するように設計されている。装置は少なくともひとつ、理想的には４つの磁気コイルより構成される。このコアは理想的には強磁性の素材で構成されている。コアは、外径が約２から７インチの間であり、内径が０．２から１．５インチの間である。コアの素材は、少なくとも０．５テスラ、理想的には少なくとも１．５テスラ、もしくはさらに２．０テスラ以上の磁気飽和度を有している。前記コアは効力を向上するために頭部の形状に合う構造に成形してある。刺激装置の頭部への正確な位置付けと正確な印付けを容易にするために、目視用および位置決め用の開口部が設けられている。」
７ｂ：「【００６１】
  鬱病治療用磁気脳刺激  
  本発明により、本装置は鬱病治療にも使用できる。径頭蓋骨磁気脳刺激は、精神的鬱状態にある患者や薬物拒絶反応のある患者を含む多様な患者の治療に効果があることが発見された。磁気またはより望ましくは強磁気素材を核にもつ本発明装置を使用する重度鬱病の治療は、これまでの論文に発表された他の考案装置を使用するよりもさらに効果的である。左前頭葉前部の高周波経頭蓋骨磁気刺激の使用は本理解を基礎にすることがより好ましいが、他の刺激形式もさらなる研究により使用できる可能性はある。
【００６２】
  本発明により、右手運動野と運動野休息閾はまず左脳半球において特定される（例えば、Ｅｐｓｔｅｉｎ  ＣＭ、Ｌａｈ  ＪＫ、Ｍｅａｄｏｒ  Ｋ、Ｗｅｉｓｓｍａｎ  ＪＤ、Ｇａｉｔａｎ  ＬＥ、Ｄｉｈｅｎｉａ  Ｂ共著、Ｏｐｔｉｍｉｚｅｄ  ｓｔｉｍｕｌｕｓ  ｐａｒａｍｅｔｅｒｓ  ｆｏｒ  ｌａｔｅｒａｌｉｚｅｄ  ｓｕｐｐｒｅｓｓｉｏｎ  ｏｆ  ｓｐｅｅｃｈ  ｗｉｔｈ  ｍａｇｎｅｔｉｃ  ｂｒａｉｎ  ｓｔｉｍｕｌａｔｉｏｎ，Ｎｅｕｒｏｌｏｇｙ，１９９６，４７：１５９０〜１５９３を参照。同記載内容は本文章でも参照しつつ取り入れている。）。１ヘルツ単位の刺激投与の間、磁気コイルは左中央部位を通り移動し、刺激出力はその地点での磁気域地に従い強度がより低い活動へと徐々に調整される。この位置は油性マーカーにより印が付けられる。運動野休息閾を決定するのには初回治療セッションで５−１０分くらいを要するのみであり、すでに位置が明示されている２回目以降のセッションはそれより短時間で済む。標識明示位置は中央開口部６２により容易に得られる。
【００６３】
  高周波経頭蓋骨磁気刺激治療サイトは矢状面並行線（ｐａｒａｓａｇｉｔｔａｌ  ｌｉｎｅ）上の手運動野から前方５ｃｍと測定される（例えば、Ｇｅｏｒｇｅ  ＭＳ、Ｗａｓｓｅｒｍａｎ  ＥＭ、Ｗｉｌｌｉａｍｓ  Ｗ．，ｅｔ  ａｌ．共著，Ｃｈａｎｇｅｓ  ｉｎ  ｍｏｏｄ  ａｎｄ  ｈｏｒｍｏｎｅ  ｌｅｖｅｌｓ  ａｆｔｅｒ  ｒａｐｉｄｒａｔｅ  ｔｒａｎｓｃｒａｎｉａｌ  ｍａｇｎｅｔｉｃ  ｓｔｉｍｕｌａｔｉｏｎ  ｏｆ  ｔｈｅ  ｐｒｅｆｒｏｎｔａｌ  ｃｏｒｔｅｘ，Ｊ．Ｎｅｕｒｏｐｓｙｃｈｉａｔｒｙ  Ｃｌｉｎ．Ｎｅｕｒｏｓｃｉ．１９９６；８：１７２〜１８０を参照。同記載内容は本文章でも参照しつつ取り入れている。）。高周波経頭蓋骨磁気刺激（ｒＴＭＳ）による各治療において、刺激出力は運動野休息閾の１１０％および１０Ｈｚ単位の反復に設定する。刺激は各五秒間に１０トレインにて伝達され、各トレイン間は３０秒の間隔をあける。コイルは磁界が矢状面に沿って誘導されるように標定されている。被験者は耳保護装置を終始装着する。」
IV．対比
　本願発明と引用発明を対比する。
（ア）引用発明の「患者の治療に利用される装置」は、文言の意味、形状又は機能等からみて、本願発明の「患者を治療するための装置」に相当する。
　また、引用発明の「うつ病のための脳磁気刺激治療」は、「コア及び電気巻線を患者の周囲に配置して行う」のであるから、頭蓋骨を通して磁気刺激を脳に与えて行われるうつ病の治療といえるので、本願発明の「精神病の治療のための経頭蓋磁気刺激（ＴＭＳ: Transcranial Magnetic Stimulation）」に相当する。
（イ）引用発明の「コア」は、「強磁性材料から成」ることから、本願発明の「磁性材料を含む磁気コア」に相当する。
　また、引用発明の「コア」は、「患者の治療に利用される装置」の一部であるから、「精神病の治療のための経頭蓋磁気刺激（ＴＭＳ: Transcranial Magnetic Stimulation）に関連する使用に適合して」いる点で、本願発明の「磁気コア」と共通する。
　引用発明の「３つの強磁性セクション」は、本願発明の「第１の磁気コアセクション」、「第２の磁気コアセクション」、「第３の磁気コアセクション」にそれぞれ相当するところ、引用発明の「コア」は、「各セクションを連結するジョイント」を含み、「各強磁性セクションが２つの曲げ角度α１、α２で接続され」ているというのであるから、同「コア」も、“第１の端部及び第２の端部を有する第１の磁気コアセクションと、第１の端部及び第２の端部を有する第２の磁気コアセクションであって、前記第２の磁気コアセクションの該第１の端部が第１の角度で前記第１の磁気コアセクションの前記第１の端部に結合されている、第２の磁気コアセクションと、第１の端部及び第２の端部を有する第３の磁気コアセクションであって、前記第３の磁気コアセクションの該第１の端部が第２の角度で前記第２の磁気コアセクションの前記第２の端部に結合されている、第３の磁気コアセクションと、を含む”事項を具備するものといえる。
（ウ）引用発明の「電気巻線」は、「パルス電流により駆動」されるのであるから、導電特性を有することは明らかである。
　また、引用発明の「電気巻線」は、「患者の治療に利用される装置」の一部であるから、「うつ病のための脳磁気刺激治療」に用いられるものである。
　よって、引用発明の「コア」には、「巻線が巻回され」ていることをも踏まえると、引用発明の「電気巻線」は、本願発明の「磁気コアの少なくとも或る部分に巻回されたＴＭＳ用導電体」に相当する。
　さらに、引用発明では、「コア及び電気巻線を患者の周囲に配置し」、「電気巻線」が「パルス電流により駆動され、体内に磁場を生成」し、「目標箇所に磁場が集束」して、「うつ病のための脳磁気刺激治療」が行われるのであるから、引用発明は、“ＴＭＳ用導電体が患者のＴＭＳの治療中にパルスが印加された場合、磁気コアはＴＭＳ治療のために磁場を生成し、装置は、磁場を前記患者の脳に印加するようになされており、前記磁場が印加された場合、前記ＴＭＳ用導電体と、前記第１、前記第２および前記第３の磁気コアセクションとは、刺激を与える前記患者の脳部分に前記磁場を集束するように構成されている”点で本願発明と共通する。
　以上の（ア）〜（ウ）によれば、本願発明と引用発明との一致点及び相違点は、次のとおりである。 
（一致点） 
　患者を治療するための装置であって、
　磁性材料を含む磁気コアであって、精神病の治療のための経頭蓋磁気刺激（ＴＭＳ: Transcranial Magnetic Stimulation）に関連する使用に適合しているとともに、
　第１の端部及び第２の端部を有する第１の磁気コアセクションと、
　第１の端部及び第２の端部を有する第２の磁気コアセクションであって、前記第２の磁気コアセクションの該第１の端部が第１の角度で前記第１の磁気コアセクションの前記第１の端部に結合されている、第２の磁気コアセクションと、
　第１の端部及び第２の端部を有する第３の磁気コアセクションであって、前記第３の磁気コアセクションの該第１の端部が第２の角度で前記第２の磁気コアセクションの前記第２の端部に結合されている、第３の磁気コアセクションと、
　を含む、磁気コアと、
　前記磁気コアの少なくとも或る部分に巻回されたＴＭＳ用導電体とを備え、前記ＴＭＳ用導電体が前記患者のＴＭＳの治療中にパルスが印加された場合、前記磁気コアはＴＭＳ治療のために磁場を生成し、前記装置は、前記磁場を前記患者の脳に印加するようになされており、前記磁場が印加された場合、前記ＴＭＳ用導電体と、前記第１、前記第２および前記第３の磁気コアセクションとは、刺激を与える前記患者の脳部分に前記磁場を集束するように構成されていることを特徴とする装置。
（相違点１）
　本願発明の磁気コアは、「高い飽和性の磁性材料を含む磁気コアであって、該磁気コアは分散された間隙を有するコア構造を備え、前記分散された間隙を有するコア構造は、非導電性の空隙により互いに実質電気的に絶縁された強磁性粒子を含み」、「非導電性の前記間隙により前記強磁性粒子間に電流が流れるのを阻止して当該磁気コアに流れる電流による渦電流が抑制されるように構成される」のに対し、引用発明の磁気コアは、「分散された間隙を有するコア構造を備え、前記分散された間隙を有するコア構造は、非導電性の空隙により互いに実質電気的に絶縁された強磁性粒子を含み」、「非導電性の前記間隙により前記強磁性粒子間に電流が流れるのを阻止して当該磁気コアに流れる電流による渦電流が抑制されるように構成される」のか否か不明であり、また、磁気コアに含まれる磁性材料の飽和性が高いのか否かも不明な点。 
（相違点２）
　本願発明では、「磁気コアに渦電流による加熱が実質的に抑制されるよう、間欠的サイクルで前記磁場を前記患者の脳に印加するようになされており、前記磁場が間欠的サイクルで印加された場合、前記ＴＭＳ用導電体と、前記第１、前記第２および前記第３の磁気コアセクションとは、刺激を与える前記患者の脳部分に前記磁場を集束するように構成されている」のに対し、引用発明では、「磁気コアに渦電流による加熱が実質的に抑制される」のか否か、また、どのような態様で「磁場を前記患者の脳に印加する」のかが、いずれも不明であり、それ故、「磁場が間欠的サイクルで印加された場合、前記ＴＭＳ用導電体と、前記第１、前記第２および前記第３の磁気コアセクションとは、刺激を与える前記患者の脳部分に前記磁場を集束するように構成されている」か否かも不明な点。
Ｖ．判断
　上記各相違点について検討する。
（相違点１について）
　例えば、上記刊行物２に「交流電気製品の磁心に用いる磁心材料としては、透磁率、飽和磁束密度が大きいことに加えて、鉄損が小さいこと、すなわちヒステリシス損と渦電流損が小さいことが要求される。」（摘記事項２ａ）と記載されるように、電気製品の磁心、即ち磁気コアにおいて、高透磁率、高飽和性、低鉄損等の特性が求められることは、周知の技術課題にすぎないところ、当該技術課題を解決するために、高い飽和性の磁性材料として鉄粉等の強磁性粒子を用いると共に、該強磁性粒子表面に絶縁層を形成して、磁気コアに、分散された間隙を有するコア構造を採用することにより、強磁性粒子間に電流が流れるのを阻止して磁気コアに流れる渦電流を抑制することも、上記刊行物３（摘記事項３ａ参照）、上記刊行物４（摘記事項４ａ参照）、上記刊行物５（摘記事項５ａ参照）に開示されるように従来周知の技術事項である。 
　引用発明の磁気コアにあっても、透磁率、飽和性、鉄損等の改善は、自明の技術課題といえることから、引用発明に上記の周知技術を適用し、相違点１における本願発明の特定事項とすることは、当業者であれば容易になし得たことである。 
（相違点２について）
　ＴＭＳによる精神病の治療において、どのような態様ないしパターンで磁場を患者の脳に印加するかは、印加磁場による患者への負担、印加磁場により達成される治療効果、発熱を含む機器・装置の耐性仕様等を総合的に勘案して適宜に設定されるべきものである。
　ここで、例えば、上記刊行物６における「【００９０】複数の列は列内間隔を有してもよい。・・・５０パルスの列を６０秒間；列のあいだの間隔は４０秒間；・・・」（摘記事項６ｂ）、上記刊行物７における「【００６３】・・・刺激は各五秒間に１０トレインにて伝達され、各トレイン間は３０秒の間隔をあける。・・・」（摘記事項７ｂ）等の記載にみられるように、ＴＭＳによる精神病の治療において、間欠的なサイクルで磁場を患者の脳に印加することは、刊行物６ないし７の開示内容に照らし、従来より普通に採用されている磁場印加態様の一つにすぎないものといえる。
　してみると、引用発明において磁場を患者の脳に印加するに当たり、従来より普通に用いられている磁場印加態様である上記の「間欠的なサイクル」を採用すると共に、磁気コアの過度な発熱にも配慮して、「磁気コアに渦電流による加熱が実質的に抑制されるよう、間欠的サイクルで前記磁場を前記患者の脳に印加するようにな」すことは、当業者であれば容易に想到し得たことである。
　同様に、引用発明における磁場印加態様として、上記の「間欠的なサイクル」を採用して、「磁場が間欠的サイクルで印加された場合、前記ＴＭＳ用導電体と、前記第１、前記第２および前記第３の磁気コアセクションとは、刺激を与える前記患者の脳部分に前記磁場を集束するように構成」することも、当業者が容易に想到し得たことである。
　そして、本願発明による効果も、引用発明及び周知技術から当業者が予測し得る程度のものであって格別のものとはいえない。 
VI．むすび 
　以上のとおり、本願発明は、引用発明及び周知技術に基づいて当業者が容易に発明をすることができたものであるから、特許法第２９条第２項の規定により特許を受けることができない。
　よって、結論のとおり審決する。